(57)【要約】  本発明は、それぞれのキーの下に配備されて、キーの上面を照らす発光素子と、それぞれのキーにより生成される信号をコンピュータに伝達するマイクロコントロールユニットで発光素子を制御するスイッチをさらに含み、コンピュータから伝えられた信号によりスイッチを制御するマイクロコントロールユニットと、を含むことを特徴とするキーボード装置、及びこれを利用してそれぞれのキーの色相を選定する方法に関するものである。
2008532137.tif 000002
【特許請求の範囲】
【請求項１】
入力のための手段としてコンピュータに接続され、かつ複数個のキーを有し、それぞれのキーは上面に記号部を備えている、キーボード装置において、
それぞれのキーの下に配備されて、前記キーの上面を照らす発光素子と、
それぞれのキーにより生成される信号を前記コンピュータに伝達するマイクロコントロールユニットで前記発光素子を制御するスイッチを含み、前記コンピュータから伝えられた信号によりスイッチを制御するマイクロコントロールユニットとを含むことを特徴とするキーボード装置。
【請求項２】
前記発光素子は青色、緑色、赤色のＬＥＤ（Ｌｉｇｈｔ  Ｅｍｉｔｔｉｎｇ  Ｄｉｏｄｅ）のうち少なくとも一つを含み、前記マイクロコントロールユニットは、含まれた青色、緑色、赤色のＬＥＤのうち少なくとも一つを制御する少なくとも一つのスイッチを含むことを特徴とする請求項１に記載のキーボード装置。
【請求項３】
それぞれの前記キーの上面は不透明となっており、前記記号部は光を透過するようになっていることを特徴とする請求項１に記載のキーボード装置。
【請求項４】
それぞれの前記キーの上面は、光を透過するようになっており、前記記号部は不透明となっていることを特徴とする請求項１に記載のキーボード装置。
【請求項５】
それぞれの前記キーの内部には反射板が設けられていることを特徴とする請求項１に記載のキーボード装置。
【請求項６】
入力のための手段としてコンピュータに接続され、上面に記号部を有する複数個のキーと、それぞれのキーの下に配備されて前記キーの上面を照らす発光素子と、前記発光素子を制御するスイッチを含むマイクロコントロールユニットと、を含むキーボード装置を利用してキーボードのキーの色相を選定する方法において、
入力装置から前記キーボードの前記キーの前記色相の選定の要請を受ける第１段階と、
前記色相選定の対象となるキーを選択して色相を選定し得る画面をモニター上に表示する第２段階と、
前記上記画面で前記色相が選定されたキーに対する情報を前記入力装置から受ける第３段階と、
前記上記情報を前記キーボードの前記マイクロコントロールユニットに伝達する第４段階とを含むことを特徴とするキーボードのキーの色相を選定する方法。
【請求項７】
前記伝達された情報によって前記マイクロコントロールユニットが前記スイッチで前記発光素子を制御する第５段階をさらに含むことを特徴とする請求項６に記載のキーボードのキーの色相を選定する方法。
【請求項８】
前記発光素子は、ＬＥＤから構成されることを特徴とする請求項６に記載のキーボードキーの色相を選定する方法。
【発明の詳細な説明】
【技術分野】
【０００１】
本発明は、キーボード装置、及びキーボードのキーの色相を選定する方法に関し、より詳しくは、ソフトウェアの動作によりキーボードのキーの色相を選定するキーボード装置、及びキーボードのキーの色相を選定する方法に関するものである。
【背景技術】
【０００２】
コンピュータのキーボードは、１００個余りのキーを有しているが、これらのキーが眼立つように、又は暗い空間においても使用できるように、キーの下に発光ダイオード（Ｌｉｇｈｔ  Ｅｍｉｔｔｉｎｇ  Ｄｉｏｄｅ、以下、「ＬＥＤ」と略称す。）を設ける技術が提案されている。
図１は、従来技術である韓国登録特許公報第１０−０２２２３７４号明細書に開示のキーボードの選択的な文字表示装置を説明するための図面であるが、同図には、英文字「Ａ」及びハングル文字「ロ」（ＰＣＴ公開するために’ε’で表示）の下に発光ダイオード（Ｄ１、Ｄ２）が設けられており、スイッチ１００の動作により、ＬＥＤ（Ｄ１、Ｄ２）で英文字「Ａ」及びハングル文字「ロ」を照らすことにより、キーボードの現在状態を知らせるキーボード装置が提示されている。
【特許文献１】韓国登録特許公報第１０−０２２２３７４号明細書
【発明の開示】
【発明が解決しようとする課題】
【０００３】
しかし、このような従来技術は、単純に韓／英変換キーの操作でスイッチ１００を動作し、キーボードのすべてのキーに書かれている英文字、又はハングル文字をＬＥＤ（Ｄ１、Ｄ２）が照らすことに留まっていた。
【０００４】
本発明は、上記問題点を解決するためになされたもので、コンピュータに搭載されたソフトウェアを利用して使用者がキーボードのキーの色相を選定し得るようにし、使用者が必要に応じてキーボードのキーの色相を選定できるキーボード装置及びその方法を提供することを目的とする。
また、本発明は、青色、緑色、赤色のＬＥＤを備えることにより、多様な色相を具現し得るキーボード装置及びこの多様な色相を具現し得るキーボードのキーの色相を選定する方法を提供することを目的とする。
【課題を解決するための手段】
【０００５】
上記目的を達成するために、本発明は、入力のため手段としてコンピュータに接続され、かつ複数個のキーを有し、それぞれのキーは、キーの上面に記号部が備えられている、キーボード装置において、それぞれのキーの下に配備されて、キーの上面を照らす発光素子と、それぞれのキーにより生成される信号をコンピュータに伝達するマイクロコントロールユニット（Ｍｉｃｒｏ  Ｃｏｎｔｒｏｌ  Ｕｎｉｔ、以下、「ＭＣＵ」ということもある。）で発光素子を制御するスイッチを含み、コンピュータから伝達された信号によりスイッチを制御するマイクロコントロールユニットと、を含むことを特徴とするキーボード装置を提供する。
【０００６】
ここで、本発明のマイクロコントロールユニットは、従来のマイクロコントロールユニットとは違って、キーボードの特定キーの操作で発光素子を制御するのではなく、コンピュータに備えられたソフトウェアにより処理された色相、及び指定されたキーに対する情報を利用して、ユニットの内部に備えられたスイッチを制御することによって、発光素子が指定された色相でそれぞれのキーを照らすようにしている。
【０００７】
さらに、本発明は、入力のための手段としてコンピュータに接続され、かつ上面に記号部を含む複数個のキーと、それぞれのキーの下に配備されキーの上面を照らす発光素子と、発光素子を制御するスイッチを備えるマイクロコントロールユニットを含むキーボード装置を利用してキーボードのキーの色相を選定する方法において、入力装置からキーボードのキーの色相選定の要請を受ける第１段階と、色相選定の対象となるキーを選択し、色相を選定し得る画面をモニター上に表示する第２段階と、上記画面により色相が選定されたキーに関する情報を入力装置から受ける第３段階と、そして上記情報をキーボードのマイクロコントロールユニットに伝達する第４段階と、を含むことを特徴とするキーボードのキーの色相を選定する方法を提供する。
【０００８】
また、本発明は、伝達された情報により、マイクロコントロールユニットがスイッチにより発光素子を制御する第５段階をさらに含むことを特徴とするキーボードのキーの色相を選定する方法を提供する。
入力装置としてはマウスが主に使われるが、キーボード自体を利用して入力しても良い。
【発明の効果】
【０００９】
本発明によると、キーボードの使用者が望む色相を、必要なキーに適用することができる。
また、本発明によれば、キーボードのキーを多く使用するコンピュータ作業時に頻繁に使用する文字の視認性を高めることによって作業の効率性を高めることができるとともに、三原色から構成された光源により使用者の望む色相の文字を具現することによって、キーボードを使用する作業の効率を高めることができる。
また、本発明によると、暗い作業環境においても差し支えなく作業することができるようになる。
【発明を実施するための最良の形態】
【００１０】
以下、図面を参照して本発明によるキーボード装置、及びキーボードのキーの色相を選定する方法をより詳細に説明する。
【００１１】
図２は、本発明によるキーボードの一部のキーを示す図面で、一部のキー１は赤色を、一部のキー２は青色を、一部のキー３は緑色を、一部のキー４は紫色を、一部のキー５はオレンジ色を帯びている。
図３は、本発明によるキーボードのキーの一例を示す図面であり、キー１０が示されているが、キー１０の下には、青色、緑色、赤色のＬＥＤが備えられた発光素子２０が配備されている。
【００１２】
キー１０の上面３０は全体的に不透明となっており、文字又は符号からなる記号部４０は光を透過するようになっている。これは、キー１０を光を透過する材質で作製した後、キー１０の上面３０、又はキー１０の外面全体を不透明なものにするために塗布液５０で塗布し、さらにレーザー加工などの方法で記号部４０に該当する領域の塗布液を除去することによって構成することができる。一方、キー１０は、記号部４０のみが光を透過するように、二重射出法により製作することもできる。またキー１０全体、又はキー１０の上面３０が光を透過するようにし、記号部４０のみを不透明にしても良い。また、キー１０の内側面にメッキを施すことにより、反射板６０を設けると、上面３０から放出される光の放出効率を上げることができる
図３の右側には、記号部４０が青色を帯びていることが示されているが、これは、発光素子２０から発光される光を調節することによって達成することができる。
【００１３】
次に、本発明によってキーボードのキーの色相を選定する方法を説明する。
図４は、本発明により、モニターによりキーの色相を選定する方法を説明するための図面であるが、キーボードのキーを画面上に表示した後、色相指定窓７１において色相を指定した後、カーソル７２でキー７３を選択することによって色相の選定が行われる。
図５は、本発明によるキーの色相選定を可能にする物理的構造の一例を示す図面であり、発光素子２０の動作原理は、図１に示す従来技術のＬＥＤの動作原理と大きな差はない。
【００１４】
一般に、キーボードの制御は、キーボード内に内蔵されたマイクロコントロールユニットという制御ＩＣにより行われる。ＭＣＵは、基本的にはキーボードのキーの機械的信号により発生した電気的信号をコンピュータ本体に伝達する機能をするが、この他にも「ｓｃｒｏｌｌ  ｌｏｃｋ」、「ｃａｐｓ  ｌｏｃｋ」などのファンクション・キーの動作時に、主にキーボードの右上端に備えられて、これらを動作差を表示するＬＥＤをオン／オフする機能をする。
【００１５】
本発明のように、キーボードのキーの色相を指定して、キーの下に配備された発光素子が指定された色相を発光するようにするために、図４に示すように使用者の要請によって画面上にキーボードのキーを表示して、使用者がキーの色相を指定し得るようにし、指定された色相を受けて最終的にキーボードのＭＣＵに伝達するソフトウェアとしての駆動プログラム８１がコンピュータ８０に搭載されており、キーボード９０には発光素子２０に供給される電流を制御し得るスイッチ９２を含む、ＭＣＵ９１が備えられている。
【００１６】
使用者は、マウスなどの入力装置２０１を介してコンピュータ８０にキーの色相選定のためのモードを要請し、このような要請を受けたコンピュータ８０は駆動プログラム８１を実行させることにより使用者の要請に応じることになり、色相選定が完了すると、これと関連した情報をキーボード９０のＭＣＵ９１に伝達する。このような一連のコンピュータの内的過程はコンピュータ８０の中央処理装置８２（ＣＰＵ）により処理される。
【００１７】
例えば、使用者により特定キーを赤色に指定した場合に、ＭＣＵ９１は，青色と緑色に該当するＬＥＤのスイッチをオフさせ、赤色に該当するＬＥＤのスイッチのみをオンさせることによって該当キーを赤く表示することができる。また、紫色に指定した場合は、青色と赤色ＬＥＤのスイッチをオンさせることによって紫色を作ることができる。また電流の量を制御できる機能を有することによって、同じ色でも多様なスペクトラムで表現することができる。
【００１８】
図６は、駆動プログラム８１で行われる一連の過程を説明するための図面であるが、駆動プログラム開始後、初期段階で、使用者からの色相選定のための要請があるか否かを確認し、要請がある場合には（Ｓ１）、色相選定のための画面を使用者に表示し（Ｓ２）、図３で示すように、画面上でキーの選択及び色相の選定作業を続いて行い（Ｓ３）、使用者が選定作業の完了を知らせると（Ｓ４）、終了する。
【００１９】
以上、本発明による好ましい実施形態を説明してきたが、本発明はこれらの実施形態に限られるものではなく、本発明の要旨を逸脱しない範囲での当業者による様々な設計変更や修正をすることができる。
【図面の簡単な説明】
【００２０】
【図１】従来技術の韓国登録特許公報第１０−０２２２３７４号に開示されたキーボードの選択的な文字表示装置を説明するための図面である。
【図２】本発明によるキーボードの一部のキーを示す図面である。
【図３】本発明によるキーボードのキーの一例を示す図面である。
【図４】本発明によるモニター上におけるキーの色相を選定する方法を説明するための図面である。
【図５】本発明によるキーの色相選定を可能にする物理的構造の一例を示す図面である。
【図６】駆動プログラムで行われる一連の過程を説明するための図面である。  図２から４のギリシャ文字での表記は、ＰＣＴ公開のための、ＰＣＴ出願時の図２から４のハングル文字の代替である。
【図１】
2008532137.tif 000003
【図２】
2008532137.tif 000004
【図３】
2008532137.tif 000005
【図４】
2008532137.tif 000006
【図５】
2008532137.tif 000007
【図６】
2008532137.tif 000008
【国際調査報告】
2008532137.tif 000009
2008532137.tif 000010